(57)【特許請求の範囲】
【請求項１】
着用者の肌側に配置される液透過性のトップシートと、着衣側に配置される液不透過性のバックシートと、これらトップシートとバックシートとの間に介在する吸収体と、を備える吸収性物品において、
前記トップシートの見かけ厚み（ｔ２）は、前記吸収性物品の見かけ厚み（ｔ１）に対して、７０％以上９５％以下であり、
前記吸収体のクレム吸水高さ（ｈ２）は、前記トップシートのクレム吸水高さ（ｈ１）より高く、
前記トップシートには、複数の凹部が設けられ、
前記トップシートと前記吸収体とは、前記凹部が設けられている部位において当接し、前記凹部が設けられていない部位において離間しており、
前記トップシートの見かけ厚みは、前記吸収体の厚みよりも大きく、
前記吸収性物品の厚み方向における前記吸収体から前記トップシートの前記凹部が設けられている部位の肌側表面までの距離は、前記吸収性物品の厚み方向における前記トップシートの前記凹部が設けられていない部位における前記吸収体の表面から前記トップシートの前記吸収体側の面までの距離よりも大きいことを特徴とする吸収性物品。
【請求項２】
前記吸収性物品の見かけ厚み（ｔ１）は、０．５ｍｍ以上５ｍｍ以下である請求項１記載の吸収性物品。
【請求項３】
前記凹部の深さは、前記トップシートの見かけ厚み（ｔ２）に対して、５０％以上９５％以下である請求項１又は２記載の吸収性物品。
【請求項４】
前記凹部は、前記トップシートに設けられたエンボス圧縮部により形成されている請求項１から３のいずれか一項に記載の吸収性物品。
【発明の詳細な説明】
【技術分野】
【０００１】
本発明は、パンティーライナー、生理用ナプキン、おむつ等の吸収性物品に関する。
【背景技術】
【０００２】
従来から、パンティーライナー、生理用ナプキン、おむつ等の吸収性物品として、着用者の肌側に配置される液透過性のトップシートと、着衣側に配置される液不透過性のバックシートと、これらトップシートとバックシートとの間に介在する吸収体とを備える構成が知られている。
【０００３】
そして、体液を迅速に吸収体へ移行させる吸収性能や、着用者の肌に当接する面が柔軟で、肌に与える刺激が小さいといった表面特性を向上させるために、トップシート、バックシート、吸収体等の構造や材質についての研究がなされている。
【０００４】
例えば、特許文献１には、肌側に配置される第１層と吸収体側に配置される第２層とが積層され、これら第１層及び第２層が全域に亘って接触し、且つ、部分的に接合されているトップシートが開示されている。
このトップシートにおいて、第１層の見かけ厚みは第２層の見かけ厚みに対して５０％以上８０％以下である。また、第２層の密度は、第１層の密度よりも高い。
【０００５】
第１層の見かけ厚みが第２層の見かけ厚みに対して小さすぎると、第１層が充分に形成されないから、剛直な肌触り感を着用者に与える。一方、第１層の見かけ厚みが第２層の見かけ厚みに対して大きすぎると、肌当接面から第２層への距離が大きくなるため、体液の第２層への移行が迅速に行われず、肌当接面に残留した体液が着用者に不快感を与える。
そこで、このトップシートによれば、第１層の見かけ厚みを第２層の見かけ厚みに対して５０％以上としたので、第１層が充分に形成されるから、柔軟な肌触り感を着用者に与えることができる。また、８０％以下としたので、第２層に密構造が充分に形成されるから、毛細管現象により、体液を第２層へ迅速に取り込むことができる。
更に、第２層の密度を第１層の密度よりも高い構成としたので、毛細管現象により、体液を迅速に第２層へ移行できる。
【特許文献１】特許第３６１１８３８号公報
【発明の開示】
【発明が解決しようとする課題】
【０００６】
しかしながら、上述した特許文献１では、吸収体の構造等が特に限定されていない。このため、特許文献１記載のトップシートを吸収性物品に適用しても、優れた表面特性を得ることはできても、例えば、第２層に移行された体液の吸収体への移行の促進や、吸収体に移行された体液の肌側への逆戻りの抑制を充分に行うことができないので、優れた吸収性能が得られない。
【０００７】
そこで、本発明は、優れた表面特性を備え且つ吸収性能が向上された吸収性物品を提供することを目的とする。
【課題を解決するための手段】
【０００８】
本発明者は、具体的には、以下のようなものを提供する。
【０００９】
（１）  着用者の肌側に配置される液透過性のトップシートと、着衣側に配置される液不透過性のバックシートと、これらトップシートとバックシートとの間に介在する吸収体と、を備える吸収性物品において、前記トップシートの見かけ厚み（ｔ２）は、前記吸収性物品の見かけ厚み（ｔ１）に対して、７０％以上９５％以下であり、前記吸収体のクレム吸水高さ（ｈ２）は、前記トップシートのクレム吸水高さ（ｈ１）より高いことを特徴とする吸収性物品。
【００１０】
吸収性物品の見かけ厚み（ｔ１）に対して、トップシートの見かけ厚み（ｔ２）が小さすぎると、肌当接面と吸収体との間の距離が小さいので、体液を吸収した吸収体により肌当接面の湿度が大きく上昇し、また、トップシートが充分に形成されていないので、着用者から吸収体に負荷される圧力が減少・分散されないから、吸収体に吸収された体液が肌側へ逆戻りする。
そこで、（１）の発明によれば、ｔ２をｔ１に対して７０％以上とした。このため、肌当接面と吸収体とが充分に離隔されるので、体液を吸収した吸収体による肌当接面の湿度上昇を抑制できる。また、充分に形成されたトップシートにより、着用者から吸収体に負荷される圧力が減少・分散されるので、吸収体に吸収された体液の肌側への逆戻りを抑制できる。
【００１１】
一方、吸収性物品の見かけ厚み（ｔ１）に対して、トップシートの見かけ厚み（ｔ２）が大きすぎると、トップシート以外の部材（吸収体やバックシート等）を充分に設けることができないため、体液の吸収量や着衣側への体液遮蔽性等が不充分となる場合がある。
そこで、（１）の発明によれば、ｔ２をｔ１に対して９５％以下とした。このため、吸収体やバックシート等も充分に設けることができるので、例えば、体液を充分に吸収でき、着衣側への体液の浸潤を遮蔽できる。
【００１２】
また、吸収体のクレム吸水高さ（ｈ２）がトップシートのクレム吸水高さ（ｈ１）より高い構成とした。このため、トップシートに排出された体液が吸収体側に引き込まれるから、肌当接面に残留する体液が着用者に与える不快感を抑制できる。また、吸収体に引き込まれた体液が吸収体内に保持されるから、より多くの体液を吸収・保持できる。
【００１３】
このように、（１）記載の吸収性物品は、優れた表面特性及び吸収性能を備える。
【００１４】
（２）  前記吸収性物品の見かけ厚み（ｔ１）は、０．５ｍｍ以上５ｍｍ以下である（１）記載の吸収性物品。
【００１５】
吸収性物品の見かけ厚み（ｔ１）が小さすぎると、各構成部材（トップシート、吸収体、バックシート等）を充分に設けることができないので、例えば、体液を充分に吸収できない。一方、ｔ１が大きすぎると、着用者に大きな違和感を与える。
そこで、（２）の発明によれば、吸収性物品の見かけ厚み（ｔ１）を０．５ｍｍ以上としたので、各構成部材をより充分に設けることができるから、例えば、体液を充分に吸収できる（吸収性能に優れる）。また、ｔ１を５ｍｍ以下としたので、着用者に与える違和感を軽減できる。
従って、（２）記載の吸収性物品は、パンティーライナー等の薄型吸収性物品に好ましく適用できる。
【００１６】
（３）  前記トップシートには、複数の凹部が設けられている（１）又は（２）記載の吸収性物品。
【００１７】
（３）の発明によれば、トップシートに複数の凹部を設けた。これら凹部が設けられたことによりトップシートの肌側表面と吸収体とが近接した部位を通じて、排出された体液は迅速に吸収体に移行される。このため、肌当接面に残留する体液が着用者に与える不快感を、迅速に抑制できる。
このように、（３）記載の吸収性物品は、より優れた表面特性及び吸収性能を備える。
【００１８】
（４）  前記凹部の深さは、前記トップシートの見かけ厚み（ｔ２）に対して、５０％以上９５％以下である（３）記載の吸収性物品。
【００１９】
トップシートの見かけ厚み（ｔ２）に対して凹部の深さが小さすぎると、肌当接面と吸収体との間の距離が充分に減少されないから、排出された体液の吸収体への移行が迅速に行われない場合がある。
そこで、（４）の発明によれば、ｔ２に対して凹部の深さを５０％以上としたので、これら凹部が設けられた部位において、トップシート肌側表面と吸収体とが近接する。このため、これらの部位を通じて、排出された体液が迅速に吸収体に移行されるので、肌当接面に残留する体液が着用者に与える不快感を、迅速に抑制できる。
【００２０】
一方、ｔ２に対して凹部の深さが大きすぎると、凹部が設けられた部位におけるトップシートの厚みが小さいので、この部位を通じて、吸収体に吸収された体液が肌側へ逆戻りする。
そこで、（４）の発明によれば、ｔ２に対して凹部の深さを９５％以下としたので、凹部が設けられた部位におけるトップシートの厚みは充分に形成される。このため、これらの部位を通じて、吸収体に吸収された体液が肌側へ逆戻りすることを抑制できる。
【００２１】
このように、（４）記載の吸収性物品は、より優れた表面特性及び吸収性能を備える。
【００２２】
（５）  前記凹部は、前記トップシートに設けられたエンボス圧縮部により形成されている（３）又は（４）記載の吸収性物品。
【００２３】
（５）の発明によれば、エンボス圧縮部により凹部を形成したので、トップシートのエンボス圧縮部設置部位には、密度が相対的に高い高密度領域が形成される。排出された体液は、密度勾配に従った毛細管力により、高密度領域であるエンボス圧縮部に引き込まれる。このため、体液がより迅速に吸収体へ移行されるので、肌当接面に残留する体液が着用者に与える不快感を、より迅速に抑制できる。
このように、（５）記載の吸収性物品は、より優れた表面特性及び吸収性能を備える。
【発明の効果】
【００２４】
本発明の吸収性物品によれば、次のような効果が得られる。
トップシートの見かけ厚み（ｔ２）を吸収性物品の見かけ厚み（ｔ１）に対して７０％以上とした。このため、肌当接面と吸収体とが充分に離隔されるので、体液を吸収した吸収体による肌当接面の湿度上昇を抑制でき、また、トップシートが充分に設けられ、このトップシートにより、着用者から吸収体に負荷される圧力が減少・分散されるので、吸収体に吸収された体液の肌側への逆戻りを抑制できる。
【００２５】
ｔ２をｔ１に対して９５％以下とした。このため、吸収体やバックシート等も充分に設けることができるので、例えば、体液を充分に吸収し、着衣側への体液を遮蔽できる。
【００２６】
また、吸収体のクレム吸水高さ（ｈ２）がトップシートのクレム吸水高さ（ｈ１）より高い構成とした。このため、トップシートに排出された体液が吸収体側に引き込まれるから、肌当接面に残留する体液が着用者に与える不快感を抑制できる。また、吸収体に引き込まれた体液が吸収体内に保持されるから、より多くの体液を吸収・保持できる。
【発明を実施するための最良の形態】
【００２７】
以下、本発明の一実施形態を図面に基づいて説明する。
【００２８】
［吸収性物品の全体構成］
図１は、本発明の一実施形態に係るパンティーライナー１の肌側表面を示す平面図である。図２は、図１のＩＩＩ−ＩＩＩ線断面図である。図３は、図２の部分拡大図である。
【００２９】
以下においては、パンティーライナー１を構成する各要素の２つの表面のうち、着用者の身体に向く表面を「肌側表面」と呼び、反対側の表面を「着衣側表面」と呼ぶ。各要素の寸法は、特に明記しない限り、長手方向に測定した寸法を「長さ寸法」と呼び、短手方向に測定した寸法を「幅寸法」と呼ぶ。
【００３０】
パンティーライナー１（吸収性物品の一例）は、液透過性のトップシート１０と液不透過性のバックシート２０との間に、液保持性の吸収体３０を備えている。
【００３１】
トップシート１０には、エンボス圧縮部４０（凹部の一例）が複数設けられている。これらエンボス圧縮部４０を介して、トップシート１０と吸収体３０とは接合されている。
【００３２】
また、使用中におけるパンティーライナー１の分解を防ぐため、パンティーライナー１の周縁から延出する部分において、トップシート１０及び吸収体３０は、更に、パンティーライナー１の周縁に設けられた接合部４２を介して、接合されている。この接合部４２は、熱シール、超音波シール等の公知の手段により形成できる。
なお、接合部４２は、パンティーライナー１の最縁部に限らず、最縁部より内側に配置してもよく、最縁部からの距離が一定でなくてもよい。
【００３３】
バックシート２０は、吸収体３０と、粘着剤（例えば、熱融着粘着剤）、粘着テープ、熱エンボス、超音波エンボス等の手段によって、全体的あるいは部分的に接合されている。
【００３４】
また、バックシート２０には、この着衣側表面に、パンティーライナー１を下着に固着させるための感圧接着剤層２１が設けられている（塗布量は、例えば３５ｇ／ｍ２）。
【００３５】
〔形状、寸法等〕
パンティーライナー１は、曲線形状の前縁部２と、同様に曲線形状の後縁部３と、を有す略矩形状である。例えば、長手方向中心線Ｏｙでの長さ寸法は１４０ｍｍであり、幅寸法は４４ｍｍ以上５４．５ｍｍ以下である。
【００３６】
吸収体３０も略矩形状であり、前縁部２よりもやや後方に位置する曲線形状の前端部及び、後縁部３よりもやや前方に位置する曲線形状の後端部を有している。吸収体３０の左右両側端部は、長手方向中心線Ｏｙと平行な略直線形状である。
吸収体３０は、上述したパンティーライナー１と略同じ寸法で、パンティーライナー１の略中央部に設けられている。
【００３７】
なお、吸収体３０の形状は、本実施形態では略矩形状としたが、これに限らず、シート状、繊維状等でもよい。
【００３８】
感圧接着剤層２１は、長手方向中心線Ｏｙの左右両側において長手方向中心線Ｏｙと略平行に形成されている。例えば、長さ寸法が１１５ｍｍ、幅寸法が２ｍｍの感圧接着剤層の９本が、長手方向中心線Ｏｙを対称軸として、幅方向に２．５ｍｍの間隔をもって設けられている。
【００３９】
［トップシート］
トップシート１０は、液透過性であり、一般的に液親水性である。また、着用者の肌に当接するので、柔軟性に富み、風合いのよい素材が好ましく用いられる。具体的には、化学繊維、合成繊維、天然繊維等の素材がスルーエア法、スパンレース法、スパンボンド法、サーマルボンド法、メルトブロン法、ニードルパンチ法の適宜の方法によって加工された不織布、ポリプロピレン等の合成樹脂からなる液透過性のフィルムを、トップシート１０として使用できる。また、感触及び嵩高性を向上させる点から、トップシート１０は、これらの不織布等が複数枚重ねられて構成されていることが好ましい。トップシート１０の嵩高化は、熱処理を施す又は坪量を増加させることにより行うことができる。
【００４０】
トップシート１０は、例えば、芯部がポリエチレンテレフタレート（ＰＥＴ）樹脂で鞘部がポリエチレン（ＰＥ）樹脂の芯鞘型複合合成繊維（繊維径２．２ｄｔｅｘ、繊維長４５ｍｍ）からなる第１層と、芯部がポリエチレンテレフタレート（ＰＥＴ）樹脂で鞘部がポリエチレン（ＰＥ）樹脂の芯鞘型複合合成繊維（繊維径２．２ｄｔｅｘ、繊維長４５ｍｍ）及びポリエチレン（ＰＥ）樹脂で鞘部がポリプロピレン（ＰＰ）樹脂の芯鞘型複合合成繊維（繊維径２．２ｄｔｅｘ、繊維長４５ｍｍ）からなる第２層と、が積層されてなる。この積層された構造は、第１層及び第２層をカードにて解繊し、ウェブした状態で重ね、熱風処理を施すことにより形成できる。
そして、トップシート１０の坪量は、第１層が７ｇ／ｍ２以上９３ｇ／ｍ２以下（例えば、２０ｇ／ｍ２）であり、第２層が７ｇ／ｍ２以上９３ｇ／ｍ２以下（例えば、１５ｇ／ｍ２）であり、全体として１４ｇ／ｍ２以上１００ｇ／ｍ２以下（例えば、３５ｇ／ｍ２）である。
【００４１】
なお、トップシート１０は、上述したような２層構造に限らず、単層構造、３層以上の構造であってもよいが、いずれの場合も、１枚の不織布で使用される。
【００４２】
［バックシート］
バックシート２０は、一般的に、非通気性又は通気液不透過性である。具体的には、ポリプロピレン、ポリエチレン、ポリエチレンテレフタレート、エチレンビニルアセテート等を単独で若しくは複合して得られるプラスチックフィルム、樹脂フィルムが貼り合わされた不織布、プラスチックフィルムに不織布が積層されたラミネート材、ポリプロピレンを主原料としたＳＭＳ（スパンボンド、メルトブロン、スパンボンド）不織布、ＳＭＳ／ＭＢ（メルトブロン）／ＳＭＳ不織布等の高耐水性の不織布等で構成できる。
【００４３】
バックシート２０は、例えば、ポリプロピレンからなる非通気性プラスチックフィルムであり、その坪量が１５ｇ／ｍ２以上６０ｇ／ｍ２以下（例えば、２３ｇ／ｍ２）である。
【００４４】
［吸収体］
吸収体３０は、一般的に、液吸収性、液保持性に優れていることが好ましい。吸収体３０は、粉砕パルプを液透過性の紙やセルロースシートで包んだもの、高吸収性ポリマーを混合したもの等で構成できる。具体的には、化学繊維、合成繊維、天然繊維等がスパンレース法、スパンボンド法、ニードルパンチ法等の適宜の方法によって加工された不織布、ポリエチレン等の合成樹脂からなるフィルムが挙げられる。また、吸収体３０は、これらの不織布等が複数枚重ねられた構成でもよい。
【００４５】
また、吸収体３０は、体液の吸収性及び保持性を向上させる点で、セルロース系繊維を５０％以上含むことが好ましい。このセルロース系繊維としては、コットン繊維、レーヨン繊維、パルプ繊維等が挙げられる。
【００４６】
吸収体３０は、例えば、レーヨン繊維及びポリエチレンテレフタレート繊維を、レーヨン：ポリエチレンテレフタレート＝９：１の比率で混合し、スパンレース法により作製した不織布であり、その坪量が１８ｇ／ｍ２以上５０ｇ／ｍ２以下（例えば、２５ｇ／ｍ２）である。
【００４７】
［凹部］
凹部として作用するエンボス圧縮部４０は、粘着剤、粘着テープ、熱エンボス、超音波エンボス等のいずれか、あるいは複数の手段によって形成されている。
【００４８】
なお、本実施形態においては、略矩形状のエンボス圧縮部４０の各々を千鳥状に配置したが、これに限らない。例えば、エンボス圧縮部４０は、各々を散点状に配置してもよいし、単一又は複数の直線状、曲線状（例えば、連続波形）、格子状、ジグザグ形状等で構成してもよい。また、エンボス圧縮部４０を散点状に配置する場合のエンボス圧縮部４０の各々の形状は、円形状、三角形状、四角形状等、任意の形状とすることができる。
【００４９】
［感圧接着剤層］
感圧接着剤層２１は、例えば、ゴム系ホットメルト型接着剤、オレフィン系ホットメルト型接着剤、メカニカルファスナー、スチレンゴム系の滑り止め材で、構成できる。そして、感圧接着剤層２１は、図示しない離形剤処理された剥離紙で被覆されている。
【００５０】
［見かけ厚み］
ここでいう「見かけ厚み」とは、無荷重下で撮影した断面の厚み値を指す。
パンティーライナー１の見かけ厚み（ｔ１）は、０．５ｍｍ以上５．０ｍｍ以下（例えば、１．４９ｍｍ）である。また、トップシート１０の見かけ厚み（ｔ２）は、０．３５ｍｍ以上５．０ｍｍ未満（例えば、１．３０ｍｍ）である。この結果、ｔ２は、ｔ１の７０％以上１００％未満となっている。
【００５１】
エンボス圧縮部４０が設けられている部位における肌当接面と吸収体３０との距離は、エンボス圧縮部４０が設けられていない部位における距離の５〜５０％である。換言すれば、エンボス圧縮部４０の深さ（図３中、ｆで示す）は、ｔ２に対して、５０％以上９５％以下である。
【００５２】
例えば、エンボス圧縮部４０が設けられていない部位におけるトップシート１０の見かけ厚みは１．５ｍｍであり、エンボス圧縮部４０が設けられている部位におけるトップシート１０の見かけ厚みは０．５ｍｍである。換言すれば、ｔ２は１．５ｍｍであり、エンボス圧縮部４０の深さは１．０ｍｍである。
【００５３】
ここで、パンティーライナー１及びトップシート１０の見かけ厚みは、以下のようにして測定される。
即ち、まず、パンティーライナー１から、縦横の長さが３０ｍｍ×３０ｍｍの試験片を切り出す。次に、縦方向に略平行な切断面を作り、ハイスコープ「ＳＺＨ１０」（オリンパス社製）により、この切断面の拡大写真を得る。この拡大写真のスケールを合わせて、パンティーライナー１の最大厚みを求め、これをパンティーライナー１の見かけ厚み（ｔ１）とする。更に、このパンティーライナー１の最大厚み測定部位において、トップシート１０の厚みを測定し、これをトップシート１０の見かけ厚み（ｔ２）とする。
【００５４】
［クレム吸水高さ］
吸収体３０のクレム吸水高さ（ｈ２）は、トップシート１０のクレム吸水高さ（ｈ１）よりも高い。ここで、ｈ２は、ｈ１の２倍以上（例えば、繊維配向方向では７．７倍、繊維配向に直交する方向では６．４倍）であることが好ましい。
【００５５】
このように構成する方法は、特に限定されないが、例えば、吸収体３０の密度をトップシート１０の密度より高くすることで、吸収体３０とトップシート１０との毛管力の差を設ければよい。また、吸収体３０の繊維に親水化油剤を塗布することにより、吸収体３０の親水度を相対的に高くする、あるいは、吸収体３０にセルロース系繊維を多く配合する等によって、ｈ２を高めることもできる。
【００５６】
液移行の円滑性を維持する点で、トップシート１０のクレム吸水高さは、嵩が減少されているエンボス圧縮部４０の周辺部位においても、吸収体３０のクレム吸水高さより高いことが好ましい。
【００５７】
ここで、トップシート１０及び吸収体３０のクレム吸水高さは、ＪＩＳ  Ｐ８１４１に基づいて測定される。試験は、ＪＩＳ  Ｐ８１１１の条件に一致する大気中（２０℃、６５％ＲＨ）で行う。容器に入れる水は蒸留水を用い、水温を１５〜２０℃とする。
即ち、まず、トップシート１０及び吸収体３０から、長さ１２０ｍｍ×幅１５ｍｍの帯状の試験片を切り出す。次に、これらの試験片を、短辺と平行な標線をこの短辺から５ｍｍ離れた位置に引いた後、鉛直に保持しながら、この標線まで素早く水の中に入れる。その状態で１０分間放置した後、標線からの水の上昇した高さを、試験片の幅方向の中央位置において読み取り、クレム吸水高さとする。
なお、クレム吸水高さの測定は、対象が不織布であることに鑑み、不織布の繊維配向を考慮して、繊維配向方向及びこれに直交する方向について別々に測定し、各々の方向について平均値を算出する。
【００５８】
［密度］
前述したように、吸収体３０の密度をトップシート１０の密度より高くすることで、吸収体３０のクレム吸水高さ（ｈ２）を、トップシート１０のクレム吸水高さ（ｈ１）よりも高くできる。例えば、トップシート１０の密度（ｄ１）は０．０１２５ｇ／ｃｍ３以上０．１５０ｇ／ｃｍ３以下（例えば、０．０２７ｇ／ｃｍ３）、吸収体３０の密度（ｄ２）は０．０５ｇ／ｃｍ３以上０．２５ｇ／ｃｍ３以下（例えば、０．１６ｇ／ｃｍ３）である。
【００５９】
ここで、トップシート１０及び吸収体３０の密度は、以下のようにして測定される。
即ち、まず、トップシート１０から、縦横の長さが３０ｍｍ×３０ｍｍの試験片を切り出す。トップシート１０の密度については、この試験片の縦方向〔トップシート１０を構成する不織布（繊維集合体）の繊維配向方向（不織布製造時の流れ方向）〕に略平行な切断面を作る。この切断面より、上述した見かけ厚みの測定と同様にして、トップシート１０の見かけ厚みｔ２を測定する。
次に、収縮前（トップシート１０と吸収体３０との接合前）に予め測定したトップシート１０の面積（ａ１×ｂ１）と、トップシート１０を吸収体３０に接合させ収縮させた後に測定したトップシート１０の面積（ａ２×ｂ２）とから、式〔収縮面積率Ａ＝（（ａ１×ｂ１−ａ２×ｂ２）÷（ａ１×ｂ１））×１００〕により試験片の収縮面積率Ａ（％）を求める。
更に、この収縮面積率Ａ（％）と、収縮前（トップシート１０と吸収体３０の接合前）に予め測定したトップシート１０の坪量Ｐ１（ｇ／ｍ２）とから、式〔トップシート１０の坪量Ｐ２＝Ｐ１×１００／（１００−Ａ）〕によりトップシート１０の坪量Ｐ２（ｇ／ｍ２）を求める。
そして、トップシート１０の密度ｄ１（ｇ／ｃｍ３）を、式〔ｄ１＝Ｐ２×（１／１０００）×（１／ｔ１）〕により求める。
吸収体３０の密度は、トップシート１０の密度と同様にして求めることができる。この際、吸収体３０の見かけ厚みは、上述した見かけ厚みと同様にして測定し、この値を用いて密度ｄ２を算出する。
【００６０】
本実施形態によれば、以下のような作用効果が得られる。
（Ａ）トップシート１０の見かけ厚み（ｔ２）をパンティーライナー１の見かけ厚み（ｔ１）に対して７０％以上とした。このため、肌当接面と吸収体３０とが充分に離隔されるので、体液を吸収した吸収体３０による肌当接面の湿度上昇を抑制でき、また、トップシート１０が充分に設けられ、このトップシート１０により、着用者から吸収体３０に負荷される圧力が減少・分散されるので、吸収体３０に吸収された体液の肌側への逆戻りを抑制できる。
【００６１】
（Ｂ）トップシート１０の見かけ厚み（ｔ２）をパンティーライナー１の見かけ厚み（ｔ１）に対して９５％以下とした。このため、吸収体３０やバックシート２０等も充分に設けることができるので、例えば、体液を充分に吸収し、着衣側への体液の浸潤を遮蔽できる。
【００６２】
（Ｃ）吸収体３０のクレム吸水高さ（ｈ２）がトップシート１０のクレム吸水高さ（ｈ１）より高い構成とした。このため、トップシート１０に排出された体液が吸収体３０側に引き込まれるから、肌当接面に残留する体液が着用者に与える不快感を抑制できる。また、吸収体３０に引き込まれた体液が吸収体３０内に保持されるから、より多くの体液を吸収・保持できる。
【００６３】
（Ｄ）パンティーライナー１の見かけ厚み（ｔ１）を０．５ｍｍ以上としたので、各構成部材をより充分に設けることができるから、体液を充分に吸収でき、５ｍｍ以下としたので、着用者に与える違和感を軽減できる。従って、パンティーライナー１は、薄型の吸収性物品として好ましく使用できる。
【００６４】
（Ｅ）トップシート１０に複数のエンボス圧縮部４０を設けた。これらエンボス圧縮部４０が設けられたことによりトップシート１０の肌側表面と吸収体３０とが近接した部位を通じて、排出された体液は迅速に吸収体３０に移行される。このため、肌当接面に残留する体液が着用者に与える不快感を、迅速に抑制できる。
【００６５】
（Ｆ）トップシート１０の見かけ厚み（ｔ２）に対してエンボス圧縮部４０の深さを５０％以上としたので、これらエンボス圧縮部４０が設けられた部位において、トップシート１０の肌側表面と吸収体３０とが近接する。このため、これらの部位を通じて、排出された体液が迅速に吸収体３０に移行されるので、肌当接面に残留する体液が着用者に与える不快感を、迅速に抑制できる。
【００６６】
（Ｇ）トップシート１０の見かけ厚み（ｔ２）に対してエンボス圧縮部４０の深さを９５％以下としたので、エンボス圧縮部４０が設けられた部位におけるトップシート１０の厚みは充分に形成される。このため、これらの部位を通じて、吸収体３０に吸収された体液が肌側へ逆戻りすることを抑制できる。
【００６７】
（Ｈ）エンボス圧縮部４０により凹部を形成したので、トップシート１０のエンボス圧縮部４０設置部位には、密度が相対的に高い高密度領域が形成される。排出された体液は、密度勾配に従った毛細管力により、高密度領域であるエンボス圧縮部４０に引き込まれる。このため、体液がより迅速に吸収体３０へ移行されるので、肌当接面に残留する体液が着用者に与える不快感を、より迅速に抑制できる。
【００６８】
なお、本発明は前記実施形態に限定されるものではなく、本発明の目的を達成できる範囲での変形、改良等は本発明に含まれるものである。
例えば、パンティーライナー１の外形は、前述した実施形態においては、略矩形状としたが、円形、長方形、ボーン型、オーバル型等としてもよい。
【実施例】
【００６９】
＜実施例＞
［トップシート］
芯部がポリエチレンテレフタレート（ＰＥＴ）樹脂で鞘部がポリエチレン（ＰＥ）樹脂の芯鞘型複合合成繊維（繊維径２．２ｄｔｅｘ、繊維長４５ｍｍ）からなる第１層と、芯部がポリエチレンテレフタレート（ＰＥＴ）樹脂で鞘部がポリエチレン（ＰＥ）樹脂の芯鞘型複合合成繊維（繊維径２．２ｄｔｅｘ、繊維長４５ｍｍ）及びポリエチレン（ＰＥ）樹脂で鞘部がポリプロピレン（ＰＰ）樹脂の芯鞘型複合合成繊維（繊維径２．２ｄｔｅｘ、繊維長４５ｍｍ）からなる第２層と、をカードにて解繊し、ウェブした状態で重ね、熱風処理を施すことで、複層構造を形成した。
そして、トップシートの坪量は、第１層が２０ｇ／ｍ２であり、第２層が１５ｇ／ｍ２であり、全体として３５ｇ／ｍ２であった。
【００７０】
［バックシート］
坪量が２３ｇ／ｍ２のポリプロピレンからなる非通気性プラスチックフィルムをバックシートとして適用した。
【００７１】
［吸収体］
レーヨン繊維及びポリエチレンテレフタレート繊維を、レーヨン：ポリエチレンテレフタレート＝９：１の比率で混合し、スパンレース法により作製した、坪量が２５ｇ／ｍ２である不織布を吸収体として適用した。
【００７２】
［パンティーライナーの作製］
上述した各部材を、肌側から、トップシート、吸収体の順に配置し、熱融着粘着剤によって部分的に接合した。次に、高さ３ｍｍの矩形状のピンが千鳥状に設けられたエンボス板で押圧することにより、深さ１．００ｍｍのエンボス圧縮部を複数設けた。
そして、吸収体のトップシートが接合されていない側の面に、バックシートを配置し、熱融着粘着剤によって部分的に接合することで、パンティーライナーを作製した。
【００７３】
なお、本実施例では高さ３ｍｍのピンを使用したが、エンボス板に設けられたピンは、トップシート及び吸収体の接合体の厚みより高ければよく、通常は、０．６ｍｍ以上５．５ｍｍ以下の範囲であればよい。
【００７４】
＜比較例１〜５＞
各部材の厚みを変更した点及びエンボス圧縮部を設けなかった点を除き、実施例と同じ部材を用いて、同様の方法でパンティーライナーを作製した。変更した点については、表１に示す通りである。
【００７５】
＜クレム吸水高さの測定＞
ＪＩＳ  Ｐ８１１１の条件に一致する大気中（２０℃、６５％ＲＨ）で行った。容器に入れる水は蒸留水を用い、水温を１８℃とした。
まず、実施例及び比較例１〜５で作製したパンティーライナーのトップシート及び吸収体から、長さ１２０ｍｍ×幅１５ｍｍの帯状の試験片を切り出した。次に、これらの試験片を、短辺と平行な標線をこの短辺から５ｍｍ離れた位置に引いた後、鉛直に保持しながら、この標線まで素早く水の中に入れた。その状態で１０分間放置した後、標線からの水の上昇した高さを、試験片の幅方向の中央位置において読み取り、クレム吸水高さとした。クレム吸水高さの測定は、対象が不織布であることに鑑み、不織布の繊維配向を考慮して、繊維配向方向及びこれに直交する方向について別々に測定し、各々の方向について平均値を算出した。この結果を表１に示す。
【００７６】
＜表面特性評価＞
実施例及び比較例１〜５で作製したパンティーライナーの各々について、１７人の女性モニターにより、肌当接面の柔軟性に関する評価を行った。１７人のモニターのうち、各々のパンティーライナーについて、着用時の表面の肌触りが柔らかい（表面特性が優れている）と評価した人数を表１に示す。
【００７７】
＜吸収性能評価＞
実施例及び比較例１〜５で作製したパンティーライナーの各々について、１７人の女性モニターにより、トップシートの肌当接面に経血が残留するか否か（経血隠蔽性）に関する評価を行った。１７人のモニターのうち、各々のパンティーライナーについて、経血隠蔽性（吸収性能）が優れていると評価した人数を表１に示す。
【００７８】
【表１】
0005123478.tif 000002
【００７９】
表１に示されるように、実施例のパンティーライナーは、トップシートの見かけ厚みが、パンティーライナー全体の見かけ厚みに対して８７．０％（換言すれば、７０％以上９５％以下）であり、吸収体のクレム吸水高さがトップシートのクレム吸水高さより高かった。
【００８０】
また、実施例のパンティーライナーについては、モニター１７人全員が、吸収性能に優れると評価した。
これに対し、比較例１〜５では、吸収性能に優れると評価したモニターは０人〜９人であった。
【００８１】
更に、実施例のパンティーライナーについては、モニター１７人全員が、表面の肌触りが柔らかいと評価した。
これに対し、比較例１〜５では、表面の肌触りが柔らかいと評価したモニターは２人〜１４人であった。
【００８２】
以上の結果から、本発明のパンティーライナーは、着用者の肌に当接する面が柔軟で肌への刺激が少ない（クッション性に富んだふんわりした肌触りが得られる）という優れた表面特性を備え、且つ、排出された体液を迅速に吸収体へ移行させる吸収性能にも優れていることが分かる。
【図面の簡単な説明】
【００８３】
【図１】本発明の一実施形態に係る吸収性物品の肌側表面を示す平面図である。
【図２】図１のＩＩＩ−ＩＩＩ線断面図である。
【図３】図２の部分拡大図である。
【符号の説明】
【００８４】
１  パンティーライナー（吸収性物品）
１０  トップシート
２０  バックシート
３０  吸収体
４０  エンボス圧縮部（凹部）
【図１】
0005123478.tif 000003
【図２】
0005123478.tif 000004
【図３】
0005123478.tif 000005